(57)【要約】【課題】毛髪などの繊維ごみが軸受にからみつくことを防止でき、かつ、蓄積した繊維ごみを容易に除去することのできる吸込具、及び当該吸込具を備えた電気掃除機を提供する。【解決手段】吸込具は、ブラシ室を有するボディーと、ブラシ室に配置され、第一端４ｄ及び第二端を有し、第一端４ｄと第二端とを結ぶ方向を長手方向とする回転ブラシ４と、第二端よりも第一端４ｄに近い位置で回転ブラシ４を回転可能に支持する第一軸受１１と、繊維ごみが巻き付くことのできる外周面１０ａと、外周面１０ａから外周側へ突出した環状壁面１０ｂとを有する繊維ごみ収容部１０と、を備える。第一方向は、第二端から第一端４ｄに向かう方向である。上記長手方向についての位置に関して、環状壁面１０ｂの位置は、第一軸受１１の中心位置１１ａよりも第一方向の側にある。繊維ごみ収容部１０は、ボディーから取り外し可能である。【選択図】図１１
2019076379.tif 000002
【特許請求の範囲】
【請求項１】
ブラシ室を有するボディーと、
前記ブラシ室に配置され、第一端及び第二端を有し、前記第一端と前記第二端とを結ぶ方向を長手方向とする回転ブラシと、
前記第二端よりも前記第一端に近い位置で前記回転ブラシを回転可能に支持する第一軸受と、
繊維ごみが巻き付くことのできる外周面と、前記外周面から外周側へ突出した環状壁面とを有する繊維ごみ収容部と、
を備え、
第一方向は、前記第二端から前記第一端に向かう方向であり、
前記長手方向についての位置に関して、前記環状壁面の位置は、前記第一軸受の中心位置よりも前記第一方向の側にあり、
前記繊維ごみ収容部は、前記ボディーから取り外し可能である
吸込具。
【請求項２】
前記繊維ごみ収容部を前記ボディーに対して前記長手方向に移動させることで前記繊維ごみ収容部を前記ボディーから取り外し可能である請求項１に記載の吸込具。
【請求項３】
前記回転ブラシを回転させる駆動手段を備え、
前記長手方向についての位置に関して、前記第一軸受は、前記駆動手段よりも前記第一方向の側に位置する請求項１または請求項２に記載の吸込具。
【請求項４】
前記回転ブラシを前記長手方向に移動させることで前記回転ブラシを前記ボディーから取り外し可能であり、
前記回転ブラシを前記長手方向に移動させたときに前記回転ブラシに対して摺動することで、前記回転ブラシに巻き付いた繊維ごみを除去する繊維ごみ除去部を備える請求項１から請求項３のいずれか一項に記載の吸込具。
【請求項５】
前記回転ブラシを回転させる駆動手段を備え、
前記駆動手段は、前記第一端及び前記第二端のうちの一方よりも他方に近い位置にあり、
前記繊維ごみ除去部は、前記第一端及び前記第二端のうちの前記他方よりも前記一方に近い位置にある請求項４に記載の吸込具。
【請求項６】
前記長手方向についての位置に関して、前記環状壁面の位置は、前記繊維ごみ除去部よりも前記第一方向の側に位置する請求項４または請求項５に記載の吸込具。
【請求項７】
前記繊維ごみ収容部は、前記外周面から外周側へ突出し、前記環状壁面と対向する対向壁面を有する請求項１から請求項６のいずれか一項に記載の吸込具。
【請求項８】
前記繊維ごみ収容部から前記第一軸受への繊維ごみの通路を塞ぐように配置された弾性部材を備える請求項１から請求項７のいずれか一項に記載の吸込具。
【請求項９】
前記回転ブラシが回転しても前記繊維ごみ収容部が回転しない請求項１から請求項８のいずれか一項に記載の吸込具。
【請求項１０】
前記吸込具の側面を形成する側面部品を備え、
前記側面部品は、前記ボディーから取り外し可能であり、
前記繊維ごみ収容部は、前記側面部品により形成されている請求項１から請求項９のいずれか一項に記載の吸込具。
【請求項１１】
前記繊維ごみ収容部は、前記回転ブラシと一体となって回転する請求項１から請求項８のいずれか一項に記載の吸込具。
【請求項１２】
前記第一端よりも前記第二端に近い位置で前記回転ブラシを回転可能に支持する第二軸受と、
繊維ごみが巻き付くことのできる外周面と、前記外周面から外周側へ突出した環状壁面とを有する第二の繊維ごみ収容部と、
を備え、
前記長手方向についての位置に関して、前記第二軸受の中心位置は、前記第二の繊維ごみ収容部の前記環状壁面の位置よりも前記第一方向の側にあり、
前記第二の繊維ごみ収容部は、前記ボディーから取り外し可能である
請求項１から請求項１１のいずれか一項に記載の吸込具。
【請求項１３】
請求項１から請求項１２のいずれか一項に記載の吸込具を備える電気掃除機。
【発明の詳細な説明】
【技術分野】
【０００１】
本発明は、吸込具及び電気掃除機に関する。
【背景技術】
【０００２】
下記特許文献１に開示された掃除機ヘッドは、以下の構成を有する。なお、括弧内は、特許文献１での符号である。掃除機ヘッド（２）は、主本体（４）と、主本体（４）に対して回転軸回りで回転するように支持された撹拌器（６）と、髪の毛を収集するための収集器（５６）とを備える。収集器（５６）は、主本体（４）によって支持されており、空気入口（１４）を通して引き込まれた髪の毛が収集器（５６）の少なくとも一部の周囲に巻き付くように構成されている。収集器（５６）は、撹拌器（６）が収集器（５６）に対して回転可能である髪収集位置と髪除去位置との間で主本体（４）に対して移動可能である。
【先行技術文献】
【特許文献】
【０００３】
【特許文献１】特表２０１７−５０７７５７号公報
【発明の概要】
【発明が解決しようとする課題】
【０００４】
特許文献１の発明では、特許文献１の図３及び図４が示すとおり、収集器（５６）が髪収集位置から髪除去位置へ少ししか移動可能でないので、収集器（５６）に蓄積した毛髪を除去する作業がしづらいという問題がある。
【０００５】
本発明は、上述のような課題を解決するためになされたもので、毛髪などの繊維ごみが軸受にからみつくことを防止でき、かつ、蓄積した繊維ごみを容易に除去することのできる吸込具、及び当該吸込具を備えた電気掃除機を提供することを目的とする。
【課題を解決するための手段】
【０００６】
本発明に係る吸込具は、ブラシ室を有するボディーと、ブラシ室に配置され、第一端及び第二端を有し、第一端と第二端とを結ぶ方向を長手方向とする回転ブラシと、第二端よりも第一端に近い位置で回転ブラシを回転可能に支持する第一軸受と、繊維ごみが巻き付くことのできる外周面と、外周面から外周側へ突出した環状壁面とを有する繊維ごみ収容部と、を備え、第一方向は、第二端から第一端に向かう方向であり、長手方向についての位置に関して、環状壁面の位置は、第一軸受の中心位置よりも第一方向の側にあり、繊維ごみ収容部は、ボディーから取り外し可能であるものである。
また、本発明に係る電気掃除機は、上記吸込具を備えるものである。
【発明の効果】
【０００７】
本発明によれば、繊維ごみ収容部と第一軸受とが上記の位置関係を有し、繊維ごみ収容部をボディーから取り外し可能としたことで、毛髪などの繊維ごみが第一軸受にからみつくことを防止でき、かつ、蓄積した繊維ごみを容易に除去することが可能となる。
【図面の簡単な説明】
【０００８】
【図１】実施の形態１による吸込具を斜め上から見た斜視図である。
【図２】実施の形態１による吸込具を斜め下から見た斜視図である。
【図３】実施の形態１による吸込具の平面図である。
【図４】実施の形態１による吸込具の左側面図である。
【図５】実施の形態１による吸込具の右側面図である。
【図６】実施の形態１による吸込具の底面図である。
【図７】図３中のＡ−Ａ線での断面図である。
【図８】実施の形態１による吸込具が備える回転ブラシの斜視図である。
【図９】実施の形態１による吸込具の模式的な右側面図である。
【図１０】実施の形態１による吸込具が備える回転ブラシ及びブラシ着脱用持ち手の縦断面図である。
【図１１】図１０の一部を拡大した図である。
【図１２】実施の形態２による吸込具が備える回転ブラシの第一端、ブラシ着脱用持ち手、及び繊維ごみ収容部を含む部分の縦断面図である。
【図１３】実施の形態３による吸込具の断面図である。
【図１４】電気掃除機の実施の形態を示す斜視図である。
【発明を実施するための形態】
【０００９】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１０】
実施の形態１．
図１は、実施の形態１による吸込具１を斜め上から見た斜視図である。図２は、実施の形態１による吸込具１を斜め下から見た斜視図である。図３は、実施の形態１による吸込具１の平面図である。図４は、実施の形態１による吸込具１の左側面図である。図５は、実施の形態１による吸込具１の右側面図である。図６は、実施の形態１による吸込具１の底面図である。図７は、図３中のＡ−Ａ線での断面図である。
【００１１】
これらの図に示すように、吸込具１は、ボディー２と連結管３とを備える。連結管３は、ボディー２の長手方向の中央において、ボディー２の後面側に配置されている。図１から図７では図示を省略しているが、吸引風を生成する掃除機本体に接続された吸引パイプまたは吸引ホースが連結管３に対して連結される。吸込具１は、例えば床面のような被清掃面上の塵埃を空気と一緒に吸い込むためのものである。
【００１２】
図１に示すように、ボディー２は、上ケース２ａと下ケース２ｂとが組み合わされて構成された細長い形状の外観を有する。図３に示すように、ボディー２は、平面視において、実質的に長方形に近い形状を呈する。ボディー２の長手方向の長さは、例えば、１０ｃｍ以上３０ｃｍ以下の範囲にあってもよい。図７に示すように、ボディー２の内部にブラシ室２ｃが形成されている。ブラシ室２ｃは、吸引される含塵空気の風路となる。ブラシ室２ｃに回転ブラシ４が配置されている。回転ブラシ４は、回転可能である。回転ブラシ４は、被清掃面上の塵埃を掻き上げるアジテーターに相当する。
【００１３】
図２及び図６に示すように、ボディー２の底面には底面開口２ｄが形成されている。図７に示すように、連結管３の上流側には吸引口２ｅが形成されている。ボディー２の前面側の下部には、バッファー部２ｈが設けられている。バッファー部２ｈは、例えばエラストマー、塩化ビニールのような、比較的変形し易い軟質材で作られている。掃除機本体に内蔵される電動送風機が吸引動作を開始すると、含塵空気が被清掃面から底面開口２ｄを介して吸引され、ブラシ室２ｃ、吸引口２ｅ、及び連結管３を通って、掃除機本体側へ吸引される。掃除機本体において含塵空気から塵埃が分離され、集塵容器に塵埃が回収される。連結管３は、関節５を介してボディー２につながっている。関節５により、連結管３は、ボディー２に対して、互いに平行でない第一回転軸及び第二回転軸を中心として回転可能である。
【００１４】
吸込具１は、回転ブラシ４を回転させるモータ８を備える。モータ８は、図３に示す位置にて、ボディー２の内部に配置されている。モータ８の駆動力は、例えばベルト（図示せず）のような動力伝達機構を介して回転ブラシ４に伝達され、回転ブラシ４を回転させる。回転ブラシ４の回転軸は、ボディー２の長手方向に対して実質的に平行である。
【００１５】
図２に示すように、第一車輪６及び第二車輪７がボディー２に対して取り付けられている。第一車輪６の位置は、ボディー２に対して固定されている。図示の例では、ボディー２の４箇所に第一車輪６が設けられている。ボディー２は、被清掃面上で第一車輪６に支えられることで、被清掃面上をスムーズに移動できる。第二車輪７は、ボディー２に対して回動可能な支持部材（図示せず）を介してボディー２に対して取り付けられている。当該支持部材が回動することで、第二車輪７はボディー２に対して変位可能である。吸込具１が被清掃面から浮いている状態においては、第二車輪７は、ボディー２の底面から下へ突出する。吸込具１が被清掃面に置かれている状態においては、第二車輪７は、ボディー２の内側に引っ込む。吸込具１は、第二車輪７が引っ込んだときにはオンとなり、第二車輪７が突出したときにはオフとなる安全スイッチ（図示せず）を内蔵している。この安全スイッチがオンすると回転ブラシ４は駆動可能な状態になり、安全スイッチがオフすると回転ブラシ４の回転が停止する。
【００１６】
図８は、実施の形態１による吸込具１が備える回転ブラシ４の斜視図である。図７及び図８に示すように、回転ブラシ４は、筒状基体４ａ、清掃体保持部４ｂ、及び清掃体４ｃを備える。清掃体保持部４ｂは、筒状基体４ａの外周面から突出する。清掃体保持部４ｂは、筒状基体４ａの外周において螺旋状に延びる。例えば、４本または５本の清掃体保持部４ｂが筒状基体４ａに対して一体成型されていてもよい。清掃体保持部４ｂは、清掃体４ｃを保持する。清掃体４ｃは、清掃体保持部４ｂの先端部から突出する。清掃体保持部４ｂ同士の間には、螺旋状の谷部が形成されている。変形例として、清掃体保持部４ｂを筒状基体４ａの内部にとりこみ、筒状基体４ａの断面形状を円形にしてもよい。この変形例の場合には、筒状基体４ａの外周面から清掃体４ｃが突出した状態となる。
【００１７】
清掃体４ｃとしては、例えば、繊維質のブラシ毛を用いてもよいし、軟質材からなるブレード状のものを用いてもよいし、これらを組み合わせたものを用いてもよい。また、清掃体保持部４ｂが螺旋状に延びる構成に代えて、清掃体保持部４ｂが回転ブラシ４の軸方向に沿って直線状に延びる構成としてもよい。清掃体保持部４ｂの本数は、４本または５本に限定されるものではなく、少なくとも２本以上であれば何本でもよい。
【００１８】
図８に示すように、回転ブラシ４は、第一端４ｄ及び第二端４ｅを有する。第一端４ｄと第二端４ｅとを結ぶ方向は、回転ブラシ４の長手方向に相当する。以下の説明では、第二端４ｅから第一端４ｄに向かう方向を「第一方向」と称する。回転ブラシ４にブラシ着脱用持ち手９が連結されている。回転ブラシ４は、ブラシ着脱用持ち手９に対して回転可能である。ブラシ着脱用持ち手９は、回転ブラシ４の第一端４ｄよりも第一方向の側にある。ブラシ着脱用持ち手９は、突出する摘み９ａを有する。摘み９ａは、指でつまめる一文字状の形状を有する。
【００１９】
図５に示すように、ブラシ着脱用持ち手９は、ボディー２の右側面に配置される。ボディー２は、ブラシ室２ｃからボディー２の右側面へ貫通するブラシ出入口を有する。ブラシ出入口を通して回転ブラシ４をボディー２から引き抜くことで、回転ブラシ４をボディー２から取り外すことができる。回転ブラシ４をボディー２に対して適切に装着した状態では、ブラシ着脱用持ち手９がブラシ出入口を塞ぐ。図５に示す状態では、ブラシ着脱用持ち手９は、ブラシ出入口に対して固定されるロック位置にある。吸込具１はこの状態で使用される。図５の状態から、ブラシ着脱用持ち手９の摘み９ａを指で後方へ移動させると、ブラシ着脱用持ち手９が回転してアンロック位置になる。ブラシ着脱用持ち手９がアンロック位置になると、ブラシ着脱用持ち手９の固定が解除される。その後、ブラシ着脱用持ち手９を指で掴んで、ブラシ出入口から回転ブラシ４を引き抜くことができる。このように、本実施の形態では、回転ブラシ４を長手方向に移動させることで回転ブラシ４をボディー２から取り外し可能である。
【００２０】
図９は、実施の形態１による吸込具１の模式的な右側面図である。図９は、ボディー２のブラシ出入口の構成を説明するための図である。図９は、ブラシ出入口から回転ブラシ４を引き抜いている途中の状態を示す。図９中の回転ブラシ４は、その長手方向の途中の位置で切断された断面図として表されている。図９に示すように、ボディー２のブラシ出入口は、軸方向から見て、おおむね十字状の形状を有する。ボディー２のブラシ出入口には、複数の第一リムーバー２ｆと、複数の第二リムーバー２ｇとが設けられている。図９において、各第一リムーバー２ｆは、回転ブラシ４の清掃体保持部４ｂ同士の間の谷部に挿入する凸状の形状を有する。図９において、各第二リムーバー２ｇは、凹部を形成しており、当該凹部に回転ブラシ４の清掃体保持部４ｂ及び清掃体４ｃが挿入している。各第一リムーバー２ｆは、回転ブラシ４の長手方向であってボディー２の内部へ向かう方向へ突出する尖った突出部を有していてもよい。
【００２１】
第一リムーバー２ｆは、回転ブラシ４に巻き付いた繊維ごみを除去する繊維ごみ除去部に相当する。本明細書において「繊維ごみ」とは、繊維状のごみを意味する。繊維ごみは、例えば、毛髪、糸くず、動物の毛のうちの少なくとも一つである。回転ブラシ４をボディー２から取り外すときに回転ブラシ４を長手方向に移動させると、第一リムーバー２ｆが回転ブラシ４に対して摺動することで、回転ブラシ４に巻き付いた繊維ごみが回転ブラシ４から除去される。
【００２２】
第二リムーバー２ｇは、清掃体４ｃに付着した塵埃を除去する塵埃除去部に相当する。回転ブラシ４をボディー２から取り外すときに回転ブラシ４を長手方向に移動させると、第二リムーバー２ｇが清掃体４ｃに対して摺動することで、清掃体４ｃに付着した塵埃が回転ブラシ４から除去される。
【００２３】
図８に示すように、回転ブラシ４の第一端４ｄとブラシ着脱用持ち手９との間に繊維ごみ収容部１０が設けられている。繊維ごみ収容部１０は、繊維ごみが巻き付くことのできる外周面１０ａと、外周面１０ａから外周側へ突出した環状壁面１０ｂとを有する。環状壁面１０ｂは、第一方向と反対の方向を向く。なお、図１から図７では、繊維ごみ収容部１０の図示を省略している。外周面１０ａは、回転ブラシ４の回転軸を中心とする円筒状を呈する。
【００２４】
図１０は、実施の形態１による吸込具１が備える回転ブラシ４及びブラシ着脱用持ち手９の縦断面図である。図１０に示すように、回転ブラシ４は、心棒４ｆ及び凹部形成部材４ｇを備える。心棒４ｆは、筒状基体４ａの内側の空間に位置する。凹部形成部材４ｇは、回転ブラシ４の第二端４ｅの内部に配置されている。心棒４ｆの一端は、凹部形成部材４ｇを介して、回転ブラシ４の第二端４ｅ側で筒状基体４ａと連結されている。心棒４ｆの他端は、回転ブラシ４の第一端４ｄの位置を超えて第一方向へ延びている。この心棒４ｆの他端は、繊維ごみ収容部１０の内側の空間を通り、ブラシ着脱用持ち手９の内部にまで達している。心棒４ｆは、回転ブラシ４の他の部分と一体となって回転する。ボディー２には、モータ８により駆動されるロータ（図示せず）が設置されている。凹部形成部材４ｇは、当該ロータが有する凸部と噛み合う凹部を有する。回転ブラシ４がボディー２に取り付けられた状態では、当該ロータに凹部形成部材４ｇが噛み合うことで、当該ロータから回転ブラシ４へ回転力が伝達される。
【００２５】
ブラシ着脱用持ち手９に第一軸受１１が取り付けられている。第一軸受１１は、心棒４ｆを回転可能に支持する。第一軸受１１は、第二端４ｅよりも第一端４ｄに近い位置で回転ブラシ４を回転可能に支持する軸受に相当する。第一軸受１１は、例えば、すべり軸受でもよいし、転がり軸受でもよい。
【００２６】
図１１は、図１０の一部を拡大した図である。図１１は、回転ブラシ４の第一端４ｄ、ブラシ着脱用持ち手９、及び繊維ごみ収容部１０を含む部分の縦断面図に相当する。図１１に示すように、回転ブラシ４の第一端４ｄに対してスリーブ体１２が固定されている。繊維ごみ収容部１０は、スリーブ体１２の一部として形成されている。心棒４ｆは、スリーブ体１２の中心を貫通している。心棒４ｆは、スリーブ体１２と固定されている。スリーブ体１２は、第一方向と反対の方向へ突出する筒状突出部１２ａを有する。第一端４ｄにおける筒状基体４ａの内側の開口に筒状突出部１２ａが挿入している。筒状突出部１２ａは、筒状基体４ａと固定されている。繊維ごみ収容部１０を含むスリーブ体１２は、回転ブラシ４と一体となって回転する。
【００２７】
このように、本実施の形態では、繊維ごみ収容部１０を含むスリーブ体１２が、回転ブラシ４の筒状基体４ａとは別の部材となっている。これに対し、変形例として、繊維ごみ収容部１０が回転ブラシ４と一体的に形成されていてもよい。
【００２８】
ブラシ着脱用持ち手９は、第一方向と反対の方向へ突出する突出部９ｂを有する。突出部９ｂは、スリーブ体１２の内側の空間に挿入している。突出部９ｂの先端部に第一軸受１１が設置されている。第一軸受１１は、繊維ごみ収容部１０の外周面１０ａよりも内側に位置する。
【００２９】
図１１中の一点鎖線で示す中心位置１１ａは、回転ブラシ４の長手方向についての、第一軸受１１の中心の位置を表している。図１１に示すように、回転ブラシ４の長手方向についての位置に関して、環状壁面１０ｂの位置は、第一軸受１１の中心位置１１ａよりも第一方向の側にある。
【００３０】
なお、図１１では、心棒４ｆの外周面がブラシ着脱用持ち手９の中心を通る孔の内面に接触しているように見えるが、実際には、ブラシ着脱用持ち手９の中心を通る孔の内面と、心棒４ｆの外周面との間には僅かな隙間がある。これにより、回転ブラシ４が回転するときに、ブラシ着脱用持ち手９と、心棒４ｆとの間の摩擦力を軽減できる。
【００３１】
回転ブラシ４が回転することで被清掃面から塵埃を掻き上げるときに、繊維ごみが回転ブラシ４に絡んで巻き付くことがある。回転ブラシ４に巻き付いた繊維ごみの一部は、回転ブラシ４に対して徐々に第一方向へずれていき、繊維ごみ収容部１０に到達する。繊維ごみ収容部１０に到達した繊維ごみは、外周面１０ａに巻き付き、繊維ごみ収容部１０に蓄積されていく。環状壁面１０ｂがあることで、繊維ごみ収容部１０に蓄積された繊維ごみは、環状壁面１０ｂを超えて第一方向へ移動することが防止される。
【００３２】
このように、本実施の形態であれば、繊維ごみ収容部１０に繊維ごみを蓄積できるとともに、繊維ごみが環状壁面１０ｂを超えて第一方向へ移動することを確実に防止できる。このため、長期間の使用の間にも、繊維ごみが第一軸受１１に絡み付くことを確実に防止できるので、回転ブラシ４の回転不良が生じることを確実に防止できる。特に、本実施の形態であれば、環状壁面１０ｂの位置が第一軸受１１の中心位置１１ａよりも第一方向の側にあることで、以下の効果が得られる。万一、一部の繊維ごみが環状壁面１０ｂを超えて第一方向へ移動したとしても、その繊維ごみが第一軸受１１に到達する可能性を低減できる。このため、繊維ごみが第一軸受１１に絡み付くことをより確実に防止できる。
【００３３】
これに対し、第一軸受１１の中心位置１１ａが環状壁面１０ｂの位置よりも第一方向の側にあったと仮定すると、次の問題がある。万一、一部の繊維ごみが環状壁面１０ｂを超えて第一方向へ移動したときに、その繊維ごみがさらに第一方向へ移動し、第一軸受１１に絡み付く可能性がある。
【００３４】
また、本実施の形態では、繊維ごみ収容部１０の外周面１０ａよりも内側に第一軸受１１が位置しているので、繊維ごみが第一軸受１１の位置に到達する可能性をより確実に低減できる。
【００３５】
前述したようにして、回転ブラシ４をボディー２から取り外すことで、繊維ごみ収容部１０をボディー２から取り外すことができる。本実施の形態であれば、繊維ごみ収容部１０に蓄積した繊維ごみを除去する作業をするときには、繊維ごみ収容部１０をボディー２から取り外すことで、当該作業を容易に行うことができる。また、本実施の形態であれば、繊維ごみ収容部１０をボディー２に対して回転ブラシ４の長手方向に移動させることで繊維ごみ収容部１０をボディー２から取り外し可能である。これにより、簡単な操作で繊維ごみ収容部１０をボディー２から取り外すことができる。
【００３６】
回転ブラシ４がボディー２に適切に取り付けられた状態では、第一リムーバー２ｆ（繊維ごみ除去部）は、図１０中の破線で示す位置にある。図１０が示すとおり、回転ブラシ４の長手方向についての位置に関して、環状壁面１０ｂの位置は、第一リムーバー２ｆ（繊維ごみ除去部）よりも第一方向の側に位置する。これにより、以下の効果が得られる。回転ブラシ４をボディー２から引き抜いて取り外す際には、回転ブラシ４がボディー２に対して第一方向へ移動する。このときに繊維ごみ除去部が環状壁面１０ｂに干渉することがないので、回転ブラシ４を円滑に引き抜くことができる。
【００３７】
回転ブラシ４をボディー２から引き抜いて取り外す際には、以下のようにしてもよい。吸込具１を床面上に置いた状態で回転ブラシ４をボディー２から引き抜く。そうすると、回転ブラシ４に巻き付いていた繊維ごみが第一リムーバー２ｆにより除去され、その除去された繊維ごみの集合体がボディー２の内部で底面開口２ｄから床面上に落ちる。また、回転ブラシ４の清掃体４ｃに付着していた塵埃が第二リムーバー２ｇにより除去され、その除去された塵埃の塊がボディー２の内部で底面開口２ｄから床面上に落ちる。この状態で掃除機本体の電動送風機を作動させ、ボディー２の内部から空気を吸引することで、第一リムーバー２ｆにより除去された繊維ごみ及び第二リムーバー２ｇにより除去された塵埃を掃除機本体側に吸い込むことができる。このようにすることで、回転ブラシ４をボディー２から引き抜いた際に回転ブラシ４から除去された繊維ごみ及び塵埃を、手を触れることなく処理できる。
【００３８】
本実施の形態における繊維ごみ収容部１０は、回転ブラシ４と一体となって回転する。これにより、繊維ごみが回転ブラシ４と繊維ごみ収容部１０との間にまたがって絡み付いても、当該繊維ごみが回転ブラシ４の回転を妨げることがないという利点がある。また、本実施の形態であれば、繊維ごみ収容部１０を回転ブラシ４と一体的に設けることができるので、部品点数の増加及び組み立て工数の増加を抑制できる。
【００３９】
本実施の形態では、回転ブラシ４の長手方向についての位置に関して、第一軸受１１は、回転ブラシ４を回転させるモータ８よりも第一方向の側に位置する。これにより、以下の効果が得られる。ボディー２の底面開口２ｄをボディー２の全幅に対して大きく形成することができるので、吸込具１を動かして清掃した際の左右の吸い残しを低減できる。また、回転ブラシ４により掻き取った繊維ごみが第一軸受１１へ到達する可能性をさらに低減でき、第一軸受１１への繊維ごみの絡みをさらに確実に防止できる。
【００４０】
本実施の形態では、モータ８は、回転ブラシ４の第一端４ｄよりも第二端４ｅに近い位置にある。その一方で、ブラシ出入口及び第一リムーバー２ｆ（繊維ごみ除去部）は、回転ブラシ４の第二端４ｅよりも第一端４ｄに近い位置にある。このような配置によれば、以下の効果が得られる。モータ８をボディー２に残したままで回転ブラシ４をブラシ出入口から引き抜くことができるので、回転ブラシ４に巻き付いた繊維ごみを容易に除去することができる。変形例として、回転ブラシ４の第二端４ｅよりも第一端４ｄに近い位置にモータ８を配置し、回転ブラシ４の第一端４ｄよりも第二端４ｅに近い位置にブラシ出入口及び繊維ごみ除去部を配置した構成においても、上記と類似の効果が得られる。
【００４１】
実施の形態２．
次に、図１２を参照して、実施の形態２について説明するが、前述した実施の形態１との相違点を中心に説明し、同一部分または相当部分については説明を簡略化または省略する。図１２は、実施の形態２による吸込具１が備える回転ブラシ４の第一端４ｄ、ブラシ着脱用持ち手９、及び繊維ごみ収容部１０を含む部分の縦断面図である。
【００４２】
本実施の形態における繊維ごみ収容部１０は、環状壁面１０ｂと対向する対向壁面１０ｃを有する。対向壁面１０ｃは、外周面１０ａから外周側へ突出する環状の壁面である。環状壁面１０ｂと対向壁面１０ｃとの間に外周面１０ａがある。環状壁面１０ｂと対向壁面１０ｃとの間に繊維ごみが蓄積する。本実施の形態であれば、対向壁面１０ｃを備えたことで、以下の効果が得られる。繊維ごみ収容部１０に蓄積した繊維ごみが第一方向と反対の方向に移動することをより確実に防止できる。すなわち、繊維ごみ収容部１０に蓄積した繊維ごみが回転ブラシ４の方へ戻ることをより確実に防止できる。
【００４３】
本実施の形態における吸込具１は、繊維ごみ収容部１０から第一軸受１１への繊維ごみの通路を塞ぐように配置された弾性部材１３を備える。ブラシ着脱用持ち手９は、第一方向と反対の方向を向く端面９ｃを有する。突出部９ｂは、端面９ｃから、第一方向と反対の方向へ突出している。弾性部材１３は、リング状の形状を有する。弾性部材１３の内側に突出部９ｂが挿入している。弾性部材１３は、第一方向を向くスリーブ体１２の端面と、ブラシ着脱用持ち手９の端面９ｃとの間に挟まれている。
【００４４】
弾性部材１３は、回転ブラシ４及びスリーブ体１２とともに回転してもよい。この場合、弾性部材１３は、ブラシ着脱用持ち手９の端面９ｃに対して摺動する。または、弾性部材１３は、ブラシ着脱用持ち手９に固定されてもよい。すなわち、弾性部材１３は、回転しなくてもよい。この場合、回転ブラシ４及びスリーブ体１２が回転すると、スリーブ体１２が弾性部材１３に対して摺動する。
【００４５】
弾性部材１３が無い場合には、以下のようになる。万一、一部の繊維ごみが環状壁面１０ｂを超えて第一方向へ移動したとすると、当該繊維ごみが、端面９ｃとスリーブ体１２との間の通路を通って、第一軸受１１の方へ侵入する可能性がある。これに対し、本実施の形態であれば、端面９ｃとスリーブ体１２との間を弾性部材１３が塞いでいるので、一部の繊維ごみが環状壁面１０ｂを超えて第一方向へ移動しても、当該繊維ごみが第一軸受１１の方へ侵入することをより確実に防止できる。
【００４６】
実施の形態３．
次に、図１３を参照して、実施の形態３について説明するが、前述した実施の形態１との相違点を中心に説明し、同一部分または相当部分については説明を簡略化または省略する。図１３は、実施の形態３による吸込具１４の断面図である。
【００４７】
図１３に示すように、本実施の形態の吸込具１４は、ブラシ室１５ａを有するボディー１５と、ブラシ室１５ａに配置された回転ブラシ１６とを備える。図１３は、回転ブラシ１６の中心軸を含む平面で吸込具１４を切断した断面図に相当する。
【００４８】
回転ブラシ１６は、第一端１６ａ及び第二端１６ｂを有する。第一端１６ａと第二端１６ｂとを結ぶ方向は、回転ブラシ１６の長手方向に相当する。以下の説明では、第二端１６ｂから第一端１６ａに向かう方向を「第一方向」と称する。回転ブラシ１６は、筒状基体１６ｃ及び清掃体１６ｄを備える。筒状基体１６ｃは、円筒状の形状を有する。清掃体１６ｄは、筒状基体１６ｃの外周面から外側へ突出する。
【００４９】
第一軸受１７は、第二端１６ｂよりも第一端１６ａに近い位置で回転ブラシ１６を回転可能に支持する。第一軸受１７は、回転ブラシ１６の筒状基体１６ｃの内側に位置する。
【００５０】
繊維ごみ収容部１８は、繊維ごみが巻き付くことのできる外周面１８ａと、外周面１８ａから外周側へ突出した環状壁面１８ｂとを有する。図１３中の一点鎖線で示す中心位置１７ａは、回転ブラシ１６の長手方向についての、第一軸受１７の中心の位置を表している。回転ブラシ１６の長手方向についての位置に関して、環状壁面１８ｂの位置は、第一軸受１７の中心位置１７ａよりも第一方向の側にある。環状壁面１８ｂは、第一方向を向く面である。環状壁面１８ｂは、回転ブラシ１６の筒状基体１６ｃの内側に位置する。
【００５１】
吸込具１４は、吸込具１４の側面を形成する第一側面部品１９を備える。第一側面部品１９は、第一方向を向く吸込具１４の側面のうちの少なくとも一部を形成する。第一側面部品１９は、第一方向と反対の方向へ突出する突出部１９ａを有する。突出部１９ａは、回転ブラシ１６の筒状基体１６ｃの内側に挿入する。第一軸受１７は、第一側面部品１９の突出部１９ａにより保持されている。
【００５２】
繊維ごみ収容部１８は、第一側面部品１９により形成されている。繊維ごみ収容部１８の環状壁面１８ｂを形成する壁は、第一軸受１７と、繊維ごみ収容部１８の繊維ごみが収容される空間との間を隔てる。
【００５３】
第一側面部品１９は、ボディー１５から取り外し可能である。ボディー１５に対して第一側面部品１９を第一方向に移動させることで、第一側面部品１９を取り外すことができる。第一側面部品１９をボディー１５から取り外すことで、繊維ごみ収容部１８をボディー１５から取り外すことができる。なお、第一側面部品１９を取り外したときに、第一軸受１７は、回転ブラシ１６の筒状基体１６ｃの内側に残存する。または、第一軸受１７が第一側面部品１９と共に取り外されてもよい。
【００５４】
回転ブラシ１６が回転することで被清掃面から塵埃を掻き上げるときに、繊維ごみが回転ブラシ１６に絡んで巻き付くことがある。回転ブラシ１６に巻き付いた繊維ごみの一部は、回転ブラシ１６に対して徐々に第一方向へずれていき、繊維ごみ収容部１８に到達する。繊維ごみ収容部１８に到達した繊維ごみは、外周面１８ａに巻き付き、繊維ごみ収容部１８に蓄積されていく。環状壁面１８ｂがあることで、繊維ごみ収容部１８に蓄積された繊維ごみは、環状壁面１８ｂを超えて第一軸受１７の方へ移動することが防止される。
【００５５】
このように、本実施の形態であれば、繊維ごみ収容部１８に繊維ごみを蓄積できるとともに、蓄積された繊維ごみが環状壁面１８ｂを超えて第一軸受１７の方へ移動することを確実に防止できる。このため、長期間の使用の間にも、繊維ごみが第一軸受１７に絡み付くことを確実に防止できるので、回転ブラシ１６の回転不良が生じることを確実に防止できる。特に、本実施の形態であれば、環状壁面１８ｂの位置が第一軸受１７の中心位置１７ａよりも第一方向の側にあることで、以下の効果が得られる。繊維ごみ収容部１８に蓄積された繊維ごみが第一軸受１７に到達する可能性をさらに低減できる。このため、繊維ごみが第一軸受１７に絡み付くことをより確実に防止できる。
【００５６】
また、本実施の形態では、回転ブラシ１６の筒状基体１６ｃの内側に第一軸受１７が位置しているので、繊維ごみが第一軸受１７の位置に到達する可能性をより確実に低減できる。
【００５７】
前述したようにして、第一側面部品１９をボディー１５から取り外すことで、繊維ごみ収容部１８をボディー１５から取り外すことができる。本実施の形態であれば、繊維ごみ収容部１８に蓄積した繊維ごみを除去する作業をするときには、繊維ごみ収容部１８を含む第一側面部品１９をボディー１５から取り外すことで、当該作業を容易に行うことができる。また、本実施の形態であれば、繊維ごみ収容部１８を含む第一側面部品１９をボディー１５に対して回転ブラシ１６の長手方向すなわち第一方向に移動させることで繊維ごみ収容部１８を含む第一側面部品１９をボディー１５から取り外し可能である。これにより、簡単な操作で繊維ごみ収容部１８をボディー１５から取り外すことができる。
【００５８】
本実施の形態において、第一方向を向くボディー１５の側面に、ブラシ出入口となる開口が形成されている。第一側面部品１９がボディー１５に取り付けられた状態では、第一側面部品１９がブラシ出入口を塞いでいる。第一側面部品１９をボディー１５から取り外すと、ブラシ出入口が開放される。吸込具１４は、回転ブラシ１６に巻き付いた繊維ごみを除去する繊維ごみ除去部２０を備える。繊維ごみ除去部２０は、上記ブラシ出入口の縁部から、第一方向と反対の方向へ突出するように配置されている。第一側面部品１９をボディー１５から取り外し、回転ブラシ１６を第一方向に移動させることで、回転ブラシ１６をブラシ出入口から引き抜くことができる。このようにして回転ブラシ１６をボディー１５から取り外すときに回転ブラシ１６を第一方向に移動させると、繊維ごみ除去部２０が回転ブラシ１６に対して摺動することで、回転ブラシ１６に巻き付いた繊維ごみが回転ブラシ１６から除去される。
【００５９】
本実施の形態では、回転ブラシ１６が回転しても繊維ごみ収容部１８は回転しない。これにより、以下の効果が得られる。回転ブラシ１６が回転すると、繊維ごみ収容部１８の外周面１８ａと回転ブラシ１６とに絡まった繊維ごみが外周面１８ａに巻き付けられていく。これにより、繊維ごみ収容部１８に繊維ごみを効率良く蓄積させるができる。回転ブラシ１６に絡み付いた繊維ごみを繊維ごみ収容部１８に効率良く移行させることができ、回転ブラシ１６から繊維ごみを除去する上で有利になる。
【００６０】
繊維ごみ収容部１８は、環状壁面１８ｂと対向する対向壁面１８ｃを有する。対向壁面１８ｃは、外周面１８ａから外周側へ突出する環状の壁面である。環状壁面１８ｂと対向壁面１８ｃとの間に外周面１８ａがある。環状壁面１８ｂと対向壁面１８ｃとの間に繊維ごみが蓄積する。本実施の形態であれば、対向壁面１８ｃを備えたことで、以下の効果が得られる。環状壁面１８ｂと対向壁面１８ｃとの間に繊維ごみを確実に保持できる。繊維ごみ収容部１８に蓄積した繊維ごみが再び回転ブラシ１６に絡み付いたりすることをより確実に防止できる。
【００６１】
本実施の形態の吸込具１４は、第二軸受２１及び第二の繊維ごみ収容部２２をさらに備える。第二軸受２１は、第一端１６ａよりも第二端１６ｂに近い位置で回転ブラシ１６を回転可能に支持する。第二軸受２１は、回転ブラシ１６の筒状基体１６ｃの内側に位置する。
【００６２】
第二の繊維ごみ収容部２２は、繊維ごみが巻き付くことのできる外周面２２ａと、外周面２２ａから外周側へ突出した環状壁面２２ｂとを有する。図１３中の一点鎖線で示す中心位置２１ａは、回転ブラシ１６の長手方向についての、第二軸受２１の中心の位置を表している。回転ブラシ１６の長手方向についての位置に関して、第二軸受２１の中心位置２１ａは、第二の繊維ごみ収容部２２の環状壁面２２ｂの位置よりも第一方向の側にある。環状壁面２２ｂは、第一方向と反対の方向を向く面である。環状壁面２２ｂは、回転ブラシ１６の筒状基体１６ｃの内側に位置する。
【００６３】
吸込具１４は、吸込具１４の側面を形成する第二側面部品２３を備える。第二側面部品２３は、第一方向と反対の方向を向く吸込具１４の側面のうちの少なくとも一部を形成する。第二側面部品２３は、第一方向へ突出する突出部２３ａを有する。突出部２３ａは、回転ブラシ１６の筒状基体１６ｃの内側に挿入する。第二軸受２１は、第二側面部品２３の突出部２３ａにより保持されている。第二の繊維ごみ収容部２２は、第二側面部品２３により形成されている。第二の繊維ごみ収容部２２の環状壁面２２ｂを形成する壁は、第二軸受２１と、第二の繊維ごみ収容部２２の繊維ごみが収容される空間との間を隔てる。
【００６４】
第二側面部品２３は、ボディー１５から取り外し可能である。ボディー１５に対して第二側面部品２３を第一方向と反対の方向に移動させることで、第二側面部品２３を取り外すことができる。第二側面部品２３をボディー１５から取り外すことで、第二の繊維ごみ収容部２２をボディー１５から取り外すことができる。なお、第二側面部品２３を取り外したときに、第二軸受２１は、回転ブラシ１６の筒状基体１６ｃの内側に残存する。また、第二側面部品２３と共に第二軸受２１が取り外されてもよい。
【００６５】
吸込具１４は、回転ブラシ１６を回転させる駆動手段としてのモータ２４を備える。モータ２４は、回転ブラシ１６の筒状基体１６ｃの内側に、回転ブラシ１６と同軸的に配置されている。モータ２４の本体は、第一方向と反対の方向を向く端面を有し、当該端面に形成された凹部に第二側面部品２３の突出部２３ａの先端が挿入している。モータ２４の本体は、第二側面部品２３の突出部２３ａに係合することで、回転しないように保持される。第二側面部品２３を取り外したときには、モータ２４は、回転ブラシ１６の筒状基体１６ｃの内側に残存する。
【００６６】
モータ２４は、第一方向へ突出する出力軸２４ａを有する。出力軸２４ａは、遊星歯車機構２５に連結されている。出力軸２４ａが回転すると、その動力が遊星歯車機構２５を介して回転ブラシ１６へ伝達され、回転ブラシ１６が回転する。
【００６７】
回転ブラシ１６に巻き付いた繊維ごみの一部は、回転ブラシ１６に対して第一方向と反対の方向へ徐々にずれていき、第二の繊維ごみ収容部２２に到達する。第二の繊維ごみ収容部２２に到達した繊維ごみは、外周面２２ａに巻き付き、第二の繊維ごみ収容部２２に蓄積されていく。環状壁面２２ｂがあることで、第二の繊維ごみ収容部２２に蓄積された繊維ごみは、環状壁面２２ｂを超えて第二軸受２１の方へ移動することが防止される。
【００６８】
このように、本実施の形態であれば、第二の繊維ごみ収容部２２に繊維ごみを蓄積できるとともに、蓄積された繊維ごみが環状壁面２２ｂを超えて第二軸受２１の方へ移動することを確実に防止できる。このため、長期間の使用の間にも、繊維ごみが第二軸受２１に絡み付くことを確実に防止できるので、回転ブラシ１６の回転不良が生じることを確実に防止できる。特に、本実施の形態であれば、第二軸受２１の中心位置２１ａが環状壁面２２ｂの位置よりも第一方向の側にあることで、以下の効果が得られる。第二の繊維ごみ収容部２２に蓄積された繊維ごみが第二軸受２１に到達する可能性をさらに低減できる。このため、繊維ごみが第二軸受２１に絡み付くことをより確実に防止できる。
【００６９】
また、本実施の形態では、回転ブラシ１６の筒状基体１６ｃの内側に第二軸受２１が位置しているので、繊維ごみが第二軸受２１の位置に到達する可能性をより確実に低減できる。
【００７０】
前述したようにして、第二側面部品２３をボディー１５から取り外すことで、第二の繊維ごみ収容部２２をボディー１５から取り外すことができる。本実施の形態であれば、第二の繊維ごみ収容部２２に蓄積した繊維ごみを除去する作業をするときには、第二の繊維ごみ収容部２２を含む第二側面部品２３をボディー１５から取り外すことで、当該作業を容易に行うことができる。また、本実施の形態であれば、第二の繊維ごみ収容部２２を含む第二側面部品２３をボディー１５に対して回転ブラシ１６の長手方向すなわち第一方向と反対の方向に移動させることで第二の繊維ごみ収容部２２を含む第二側面部品２３をボディー１５から取り外し可能である。これにより、簡単な操作で第二の繊維ごみ収容部２２をボディー１５から取り外すことができる。
【００７１】
本実施の形態では、回転ブラシ１６が回転しても第二の繊維ごみ収容部２２は回転しない。これにより、以下の効果が得られる。回転ブラシ１６が回転すると、第二の繊維ごみ収容部２２の外周面２２ａと回転ブラシ１６とに絡まった繊維ごみが外周面２２ａに巻き付けられていく。これにより、第二の繊維ごみ収容部２２に繊維ごみを効率良く蓄積させるができる。回転ブラシ１６に絡み付いた繊維ごみを第二の繊維ごみ収容部２２に効率良く移行させることができ、回転ブラシ１６から繊維ごみを除去する上で有利になる。
【００７２】
第二の繊維ごみ収容部２２は、環状壁面２２ｂと対向する対向壁面２２ｃを有する。対向壁面２２ｃは、外周面２２ａから外周側へ突出する環状の壁面である。環状壁面２２ｂと対向壁面２２ｃとの間に外周面２２ａがある。環状壁面２２ｂと対向壁面２２ｃとの間に繊維ごみが蓄積する。本実施の形態であれば、対向壁面２２ｃを備えたことで、以下の効果が得られる。環状壁面２２ｂと対向壁面２２ｃとの間に繊維ごみを確実に保持できる。第二の繊維ごみ収容部２２に蓄積した繊維ごみが再び回転ブラシ１６に絡み付いたりすることをより確実に防止できる。
【００７３】
本実施の形態であれば、第一軸受１７及び第二軸受２１を回転ブラシ１６の内側に配置したことで、以下の効果が得られる。ボディー１５の全幅に対する回転ブラシ１６の長さの割合を大きくできるので、吸込具１４を被清掃面上で動かして清掃した際の左右の吸い残しを削減できる。また、回転ブラシ１６により掻き取った繊維ごみが、第一軸受１７及び第二軸受２１へ到達する可能性をさらに低減でき、第一軸受１７及び第二軸受２１への繊維ごみの絡み付きをより確実に防止できる。
【００７４】
図１４は、電気掃除機の実施の形態を示す斜視図である。図１４に示すように、電気掃除機３０は、吸込具３１、接続パイプ３２、吸引ホース３３、掃除機本体３４、ハンドル３５、及び操作部３６を備える。吸込具３１としては、実施の形態１から３のうちのいずれかの吸込具、またはそれに類似した吸込具を用いることができる。
【００７５】
吸込具３１は接続パイプ３２に接続され、接続パイプ３２は吸引ホース３３に接続され、吸引ホース３３は掃除機本体３４に接続されている。掃除機本体３４は、ホース接続口、電源コード、及び車輪等を備える。ホース接続口は、掃除機本体３４の前部に位置し、車輪は、掃除機本体３４の後半部分の両側の側面に位置する。
【００７６】
接続パイプ３２は、途中で折れ曲がった円筒状の部材である。接続パイプ３２の他端部は、吸引ホース３３の一端部に接続される。吸引ホース３３は、可撓性を有する蛇腹状の部材である。吸引ホース３３の他端部は、掃除機本体３４のホース接続口に接続される。掃除機本体３４は、塵埃を含む空気から塵埃を分離する塵埃分離部を備え、塵埃が取り除かれた空気を排出する。掃除機本体３４の塵埃分離部は、例えば、サイクロン式のものでもよいし、紙パック式のものでもよい。
【００７７】
使用者が電気掃除機３０を用いて掃除を行うとき、使用者はハンドル３５を把持する。ハンドル３５は、少なくとも部分的に、ゲル等の軟質材で形成されてもよい。ハンドル３５が少なくとも部分的に軟質材で形成されることで、ハンドル３５を把持する手との間で摩擦力が増大するとともに、使用者がハンドル３５を握りやすくなる。その結果、吸込具３１の操作性を更に向上させることができる。ハンドル３５は、吸引ホース３３より軟らかい材質で形成されてもよい。また、ハンドル３５には、操作部３６が設置されている。操作部３６は、使用者が電気掃除機３０の運転を制御するためのものであり、操作部３６は、ハンドル３５の根元付近の位置に設けられている。電源コードは、掃除機本体３４内部の図示しないコードリール部に巻き付けられている。掃除機本体３４は、電動送風機（図示省略）を内蔵する。電源コードが外部電源に接続されると、電動送風機等の内部機器が通電し、電動送風機は、操作部３６に対する操作に応じて予め設定された吸引動作を行う。
【００７８】
上記の実施の形態では、一般にキャニスター型と呼ばれる形式の電気掃除機３０を例に説明したが、これに限定されるものではなく、一般に縦型、アップライト型、スティック型、または片手持運び型などと呼ばれる形式の電気掃除機、あるいは肩掛け型などと呼ばれる形式の電気掃除機のような、他の形式の電気掃除機に適用してもよい。
【符号の説明】
【００７９】
１  吸込具、  ２  ボディー、  ２ｃ  ブラシ室、  ２ｄ  底面開口、  ２ｅ  吸引口、  ２ｆ  第一リムーバー、  ２ｇ  第二リムーバー、  ２ｈ  バッファー部、  ３  連結管、  ４  回転ブラシ、  ４ａ  筒状基体、  ４ｂ  清掃体保持部、  ４ｃ  清掃体、  ４ｄ  第一端、  ４ｅ  第二端、  ４ｆ  心棒、  ４ｇ  凹部形成部材、  ５  関節、  ６  第一車輪、  ７  第二車輪、  ８  モータ、  ９  ブラシ着脱用持ち手、  ９ａ  摘み、  ９ｂ  突出部、  ９ｃ  端面、  １０  繊維ごみ収容部、  １０ａ  外周面、  １０ｂ  環状壁面、  １０ｃ  対向壁面、  １１  第一軸受、  １１ａ  中心位置、  １２  スリーブ体、  １２ａ  筒状突出部、  １３  弾性部材、  １４  吸込具、  １５  ボディー、  １５ａ  ブラシ室、  １６  回転ブラシ、  １６ａ  第一端、  １６ｂ  第二端、  １６ｃ  筒状基体、  １６ｄ  清掃体、  １７  第一軸受、  １７ａ  中心位置、  １８  繊維ごみ収容部、  １８ａ  外周面、  １８ｂ  環状壁面、  １８ｃ  対向壁面、  １９  第一側面部品、  １９ａ  突出部、  ２０  繊維ごみ除去部、  ２１  第二軸受、  ２１ａ  中心位置、  ２２  第二の繊維ごみ収容部、  ２２ａ  外周面、  ２２ｂ  環状壁面、  ２２ｃ  対向壁面、  ２３  第二側面部品、  ２３ａ  突出部、  ２４  モータ、  ２４ａ  出力軸、  ２５  遊星歯車機構、  ３０  電気掃除機、  ３１  吸込具、  ３２  接続パイプ、  ３３  吸引ホース、  ３４  掃除機本体、  ３５  ハンドル、  ３６  操作部
【図１】
2019076379.tif 000003
【図２】
2019076379.tif 000004
【図３】
2019076379.tif 000005
【図４】
2019076379.tif 000006
【図５】
2019076379.tif 000007
【図６】
2019076379.tif 000008
【図７】
2019076379.tif 000009
【図８】
2019076379.tif 000010
【図９】
2019076379.tif 000011
【図１０】
2019076379.tif 000012
【図１１】
2019076379.tif 000013
【図１２】
2019076379.tif 000014
【図１３】
2019076379.tif 000015
【図１４】
2019076379.tif 000016